【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
情報処理装置であって、
再生する再生情報を、感情情報に関連付けて記憶保持する記憶保持手段と、
前記再生情報を再生する再生手段と、
前記再生情報を再生しているときのユーザの画像を撮像する撮像手段と、
前記画像から得られる前記ユーザの特徴量に基づいて、前記再生情報を再生しているときの前記ユーザの感情を、予め設定された認識モデルを用いて推定する推定手段と、
前記再生情報を再生したときの前記推定手段が推定した感情が、前記記憶保持手段に再生情報に関連付けられて保持された感情情報が示す感情として推定されるように、前記認識モデルのパラメータを修正する修正手段と
を備えることを特徴とする情報処理装置。
【請求項２】
前記推定手段は、前記特徴量を多層型ニューラルネットワークにおける入力層のニューロン群に入力し、出力層のニューロン群からの出力を前記ユーザの感情を示す情報として得ることを特徴とする請求項１に記載の情報処理装置。
【請求項３】
前記修正手段は、前記再生情報を再生しているときの前記ユーザの画像から得られる前記特徴量を前記入力層のニューロン群に入力した場合に、前記再生情報に関連付けられた感情情報が出力されるように、ニューロン間の重み係数を修正することを特徴とする請求項２に記載の情報処理装置。
【請求項４】
前記修正手段は、前記重み係数の修正を、バックプロパゲーションによって修正することを特徴とする請求項３に記載の情報処理装置。
【請求項５】
前記推定手段は、感情毎に予め求めた前記特徴量の許容範囲を参照し、前記特徴量を許容範囲とする感情を推定結果として出力することを特徴とする請求項１に記載の情報処理装置。
【請求項６】
更に、前記ユーザの音声情報を収集する収集手段を備え、
前記推定手段は前記画像から得られる特徴量、及び前記音声情報から得られる特徴量に基づいて、前記再生情報を再生しているときの前記ユーザの感情を、予め設定された認識モデルを用いて推定することを特徴とする請求項１乃至５の何れか１項に記載の情報処理装置。
【請求項７】
前記再生情報は映画のデータであって、前記記憶保持手段は、当該映画の各シーン毎に、シーンに対する感情情報を関連付けて記憶保持していることを特徴とする請求項１乃至６の何れか１項に記載の情報処理装置。
【請求項８】
ゲームを再生する情報処理装置であって、
前記ゲームの各進展具合を示す情報毎に、感情情報を関連付けて記憶保持する記憶保持手段と、
前記ゲームを再生しているときのユーザの画像を撮像する撮像手段と、
前記ユーザが行っているゲームの進展具合を監視する監視手段と、
前記画像から得られる前記ユーザの特徴量に基づいて、前記ゲームを行っているときの前記ユーザの感情を、予め設定された認識モデルを用いて推定する推定手段と、
進展具合において前記推定手段が推定した感情が、前記記憶保持手段に当該進展具合を示す情報に関連付けられて保持された感情情報に基づいて決まる感情として推定されるように、前記認識モデルのパラメータを修正する修正手段と
を備えることを特徴とする情報処理装置。
【請求項９】
情報処理装置が行う情報処理方法であって、
前記情報処理装置が有する記憶保持手段が、再生する再生情報を、感情情報に関連付けて記憶保持部に記憶保持する記憶保持工程と、
前記情報処理装置が有する再生手段が、前記再生情報を再生する再生工程と、
前記情報処理装置が有する撮像手段が、前記再生情報を再生しているときのユーザの画像を撮像する撮像工程と、
前記情報処理装置が有する推定手段が、前記画像から得られる前記ユーザの特徴量に基づいて、前記再生情報を再生しているときの前記ユーザの感情を、予め設定された認識モデルを用いて推定する推定工程と、
前記情報処理装置が有する修正手段が、前記再生情報を再生したときの前記推定工程で推定した感情が、前記記憶保持部に再生情報に関連付けられて保持された感情情報が示す感情として推定されるように、前記認識モデルのパラメータを修正する修正工程と
を備えることを特徴とする情報処理方法。
【請求項１０】
ゲームを再生する情報処理装置が行う情報処理方法であって、
前記情報処理装置が有する記憶保持手段が、前記ゲームの各進展具合を示す情報毎に、感情情報を関連付けて記憶保持部に記憶保持する記憶保持工程と、
前記情報処理装置が有する撮像手段が、前記ゲームを再生しているときのユーザの画像を撮像する撮像工程と、
前記情報処理装置が有する監視手段が、前記ユーザが行っているゲームの進展具合を監視する監視工程と、
前記情報処理装置が有する推定手段が、前記画像から得られる前記ユーザの特徴量に基づいて、前記ゲームを行っているときの前記ユーザの感情を、予め設定された認識モデルを用いて推定する推定工程と、
前記情報処理装置が有する修正手段が、進展具合において前記推定工程で推定した感情が、前記記憶保持部に当該進展具合を示す情報に関連付けられて保持された感情情報に基づいて決まる感情として推定されるように、前記認識モデルのパラメータを修正する修正工程と
を備えることを特徴とする情報処理方法。
【請求項１１】
コンピュータを請求項１乃至８の何れか１項に記載の情報処理装置が有する各手段として機能させる為のコンピュータプログラム。
【請求項１２】
請求項１１に記載のコンピュータプログラムを格納した、コンピュータ読みとり可能な記憶媒体。
【手続補正２】
【補正対象書類名】明細書
【補正対象項目名】００１５
【補正方法】変更
【補正の内容】
【００１５】
すなわち、情報処理装置が行う情報処理方法であって、
前記情報処理装置が有する記憶保持手段が、再生する再生情報を、感情情報に関連付けて記憶保持部に記憶保持する記憶保持工程と、
前記情報処理装置が有する再生手段が、前記再生情報を再生する再生工程と、
前記情報処理装置が有する撮像手段が、前記再生情報を再生しているときのユーザの画像を撮像する撮像工程と、
前記情報処理装置が有する推定手段が、前記画像から得られる前記ユーザの特徴量に基づいて、前記再生情報を再生しているときの前記ユーザの感情を、予め設定された認識モデルを用いて推定する推定工程と、
前記情報処理装置が有する修正手段が、前記再生情報を再生したときの前記推定工程で推定した感情が、前記記憶保持部に再生情報に関連付けられて保持された感情情報が示す感情として推定されるように、前記認識モデルのパラメータを修正する修正工程と
を備えることを特徴とする。
【手続補正３】
【補正対象書類名】明細書
【補正対象項目名】００１７
【補正方法】変更
【補正の内容】
【００１７】
すなわち、ゲームを再生する情報処理装置が行う情報処理方法であって、
前記情報処理装置が有する記憶保持手段が、前記ゲームの各進展具合を示す情報毎に、感情情報を関連付けて記憶保持部に記憶保持する記憶保持工程と、
前記情報処理装置が有する撮像手段が、前記ゲームを再生しているときのユーザの画像を撮像する撮像工程と、
前記情報処理装置が有する監視手段が、前記ユーザが行っているゲームの進展具合を監視する監視工程と、
前記情報処理装置が有する推定手段が、前記画像から得られる前記ユーザの特徴量に基づいて、前記ゲームを行っているときの前記ユーザの感情を、予め設定された認識モデルを用いて推定する推定工程と、
前記情報処理装置が有する修正手段が、進展具合において前記推定工程で推定した感情が、前記記憶保持部に当該進展具合を示す情報に関連付けられて保持された感情情報に基づいて決まる感情として推定されるように、前記認識モデルのパラメータを修正する修正工程と
を備えることを特徴とする。